(57)【要約】【課題】洗い場床の上面に凹部及び凸部が形成されている場合でも、洗い場床の上面と乾式目地材との間の隙間を小さくできる、乾式目地材の取付構造及び乾式目地材を提供する。【解決手段】水まわりユニットルームにおける乾式目地材の取付構造であって、水まわりユニットルームに設置され、外周に壁載せ凹部を有する洗い場床と、壁載せ凹部内に載置される壁パネルと、壁載せ凹部と、壁載せ凹部内に載置された壁パネルと、の間の隙間に挿入される乾式目地材と、を備え、洗い場床の上面は、複数の凹部と複数の凸部を有することで凹凸形状となっており、乾式目地材は、隙間内に下方に向けて挿入される挿入部と、壁パネルと当接する壁側当接部と、洗い場床へ向かって延出するように設けられ、洗い場床の上面と当接する床側延出部と、を有し、床側延出部は、複数の凹部及び複数の凸部に当接する軟質部と、軟質部の上部に接続されている支持部と、を有し、軟質部の硬さは、支持部の硬さよりも低い。【選択図】図４
2020033705.tif 000002
【特許請求の範囲】
【請求項１】
水まわりユニットルームにおける乾式目地材の取付構造であって、
水まわりユニットルームに設置され、外周に壁載せ凹部を有する洗い場床と、
前記壁載せ凹部内に載置される壁パネルと、
前記壁載せ凹部と、前記壁載せ凹部内に載置される前記壁パネルと、の間の隙間に挿入される乾式目地材と、
を備え、
前記洗い場床の上面は、複数の凹部と複数の凸部を有することで凹凸形状となっており、
前記乾式目地材は、
前記隙間内に下方に向けて挿入される挿入部と、
前記壁パネルと当接する壁側当接部と、
前記洗い場床へ向かって延出するように設けられ、前記洗い場床の上面と当接する床側延出部と、
を有し、
前記床側延出部は、
前記複数の凹部及び前記複数の凸部に当接する軟質部と、
前記軟質部の上部に接続されている支持部と、
を有し、
前記軟質部の硬さは、前記支持部の硬さよりも低いことを特徴とする乾式目地材の取付構造。
【請求項２】
前記軟質部の高さ方向における厚みは、前記凹部の上面と前記凸部の上面との間の高さ方向における長さよりも大きいことを特徴とする請求項１記載の乾式目地材の取付構造。
【請求項３】
前記洗い場床の上面には、前記凹部の上面と前記凸部の上面とをつなぐ傾斜面が設けられ、
前記凹部の上面と前記傾斜面との間の角度は、鈍角であることを特徴とする請求項１又は２に記載の乾式目地材の取付構造。
【請求項４】
前記壁載せ凹部内に設けられ、前記壁載せ凹部の内壁に沿った凹状の壁受け部材をさらに備え、
前記壁パネルは、前記壁受け部材上に載置され、
前記挿入部は、前記壁受け部材のうち前記隙間に位置する部分に挿入されて嵌合され、
前記床側延出部は、前記壁受け部材上に前記壁パネルが載置されることで、前記洗い場床の上面に向けて押圧されることを特徴とする請求項１〜３のいずれか１つに記載の乾式目地材の取付構造。
【請求項５】
外周に壁載せ凹部を有し、水まわりユニットルームに設置され、上面が複数の凹部と複数の凸部を有することで凹凸形状となっている洗い場床と、前記壁載せ凹部内に載置される壁パネルと、の間の隙間に挿入される乾式目地材であって、
前記隙間内に下方に向けて挿入される挿入部と、
前記壁パネルと当接する壁側当接部と、
前記洗い場床へ向かって延出するように設けられ、前記洗い場床の上面と当接する床側延出部と、
を備え、
前記床側延出部は、
前記複数の凹部及び前記複数の凸部に当接する軟質部と、
前記軟質部の上部に接続されている支持部と、
を有し、
前記支持部の硬さは、前記軟質部の硬さよりも低いことを特徴とする乾式目地材。
【発明の詳細な説明】
【技術分野】
【０００１】
本発明の態様は、一般的に、乾式目地材の取付構造及び乾式目地材に関する。
【背景技術】
【０００２】
洗い場床と、洗い場床に形成された壁載せ凹部に挿入される壁パネルと、を備えた水まわりユニットルームが知られている。このような水まわりユニットルームにおいて、壁載せ凹部に挿入される壁パネルと、壁載せ凹部と、の隙間に、乾式目地材を挿入することで、水密性や意匠性を担保する技術も、知られている（例えば、特許文献１）。この際、乾式目地材全体が該隙間の奥まで押し込まれると、乾式目地材の上に水が溜まりやすくなる。このため、乾式目地材の上部を洗い場床側へ延出させ、洗い場床上面と当接させることが好ましい。
【先行技術文献】
【特許文献】
【０００３】
【特許文献１】特開平１１−３３６２０８号公報
【発明の概要】
【発明が解決しようとする課題】
【０００４】
しかしながら、洗い場床の上面には、排水性を担保するためや入浴者が洗い場床上で滑ってしまうことを防ぐために、凹部及び凸部が形成されている。このため、延出された乾式目地材は、洗い場床の凸部上面には当接するものの、凹部上面には当接しにくい。その結果、乾式目地材と凹部上面との間へ、入浴時の汚水が入り込んでしまう。これにより、乾式目地材と凹部上面との間に汚れが溜まりやすくなり、黒ずみの発生や、悪臭の原因となってしまう恐れがある。
【０００５】
本発明は、かかる課題の認識に基づいてなされたものであり、洗い場床の上面に凹部及び凸部が形成されている場合でも、洗い場床の上面と乾式目地材との間の隙間を小さくできる、乾式目地材の取付構造及び乾式目地材を提供することを目的とする。
【課題を解決するための手段】
【０００６】
第１の発明は、水まわりユニットルームにおける乾式目地材の取付構造であって、水まわりユニットルームに設置され、外周に壁載せ凹部を有する洗い場床と、前記壁載せ凹部内に載置される壁パネルと、前記壁載せ凹部と、前記壁載せ凹部内に載置された前記壁パネルと、の間の隙間に挿入される乾式目地材と、を備え、前記洗い場床の上面は、複数の凹部と複数の凸部を有することで凹凸形状となっており、前記乾式目地材は、前記隙間内に下方に向けて挿入される挿入部と、前記壁パネルと当接する壁側当接部と、前記洗い場床へ向かって延出するように設けられ、前記洗い場床の上面と当接する床側延出部と、を有し、前記床側延出部は、前記複数の凹部及び前記複数の凸部に当接する軟質部と、前記軟質部の上部に接続されている支持部と、を有し、前記軟質部の硬さは、前記支持部の硬さよりも低いことを特徴とする乾式目地材の取付構造である。
【０００７】
この乾式目地材の取付構造によれば、壁載せ凹部と壁パネルとの間の隙間に乾式目地材を挿入した際、軟質部が洗い場床上面の凹凸形状に当接し、洗い場床上面と支持部との間に挟まれる。挟み込まれた軟質部は、凹凸形状に倣って変形する。このため、乾式目地材と凹部上面との間における隙間の発生を抑制でき、隙間から入浴時の汚水が入り込み難くなる。この結果、乾式目地材付近における黒ずみや悪臭の発生を抑制できる。
【０００８】
第２の発明は、第１の発明において、前記軟質部の高さ方向における厚みは、前記凹部の上面と前記凸部の上面との間の高さ方向における長さよりも大きいことを特徴とする乾式目地材の取付構造である。
【０００９】
この乾式目地材の取付構造によれば、軟質部が凹凸形状に倣って変形した際、凹部の全体が軟質部により埋め込まれ易くなる。このため、洗い場床と乾式目地材との間に隙間がより発生し難くなる。
【００１０】
第３の発明は、第１又は第２の発明において、前記洗い場床の上面には、前記凹部の上面と前記凸部の上面とをつなぐ傾斜面が設けられ、前記凹部の上面と前記傾斜面との間の角度は、鈍角であることを特徴とする乾式目地材の取付構造である。
【００１１】
この乾式目地材の取付構造によれば、軟質部が洗い場床の上面に当接して圧縮変形した際、軟質部が、傾斜面に沿って、凹部の上面に向けて変形し易くなる。これにより、軟質部と凹凸形状との間に隙間がより生じ難くなる。
【００１２】
第４の発明は、第１〜第３のいずれか１つの発明において、前記壁載せ凹部内に設けられ、前記壁載せ凹部の内壁に沿った凹状の壁受け部材をさらに備え、前記壁パネルは、前記壁受け部材上に載置され、前記挿入部は、前記壁受け部材のうち前記隙間に位置する部分に挿入されて嵌合され、前記床側延出部は、前記壁受け部材上に前記壁パネルが載置されることで、前記洗い場床の上面に向けて押圧されることを特徴とする乾式目地材の取付構造である。
【００１３】
この乾式目地材の取付構造によれば、壁パネルの重さにより、挿入部が壁載せ部材とともに下方に向けて継続的に押さえ付けられる。これにより、乾式目地材を取り付けた後も、洗い場床と軟質部との間に隙間が生じることを抑制できる。
【００１４】
第５の発明は、外周に壁載せ凹部を有し、水まわりユニットルームに設置され、上面が複数の凹部と複数の凸部を有することで凹凸形状となっている洗い場床と、前記壁載せ凹部内に載置される壁パネルと、の間の隙間に挿入される乾式目地材であって、前記隙間内に下方に向けて挿入される挿入部と、前記壁パネルと当接する壁側当接部と、前記洗い場床へ向かって延出するように設けられ、前記洗い場床の上面と当接する床側延出部と、を備え、前記床側延出部は、前記複数の凹部及び前記複数の凸部に当接する軟質部と、前記軟質部の上部に接続されている支持部と、を有し、前記支持部の硬さは、前記軟質部の硬さよりも低いことを特徴とする乾式目地材である。
【００１５】
この乾式目地材によれば、壁載せ凹部と壁パネルとの間の隙間に乾式目地材を挿入した際、軟質部が洗い場床上面の凹凸形状に当接し、洗い場床上面と支持部との間に挟まれる。挟み込まれた軟質部は、凹凸形状に倣って変形する。このため、洗い場床の上面に凹凸形状が存在する場合でも、乾式目地材と凹部上面との間における隙間の発生を抑制でき、隙間から入浴時の汚水が入り込み難くなる。この結果。乾式目地材付近における黒ずみや悪臭の発生を抑制できる。
【発明の効果】
【００１６】
本発明の態様によれば、洗い場床の上面に凹部及び凸部が形成されている場合でも、洗い場床の上面と乾式目地材との間の隙間を小さくできる、乾式目地材の取付構造及び乾式目地材が提供される。
【図面の簡単な説明】
【００１７】
【図１】実施形態に係る乾式目地材の取付構造を有する水まわりユニットルームを表す斜視図である。
【図２】実施形態に係る乾式目地材の取付構造の洗い場床を表す分解斜視図である。
【図３】実施形態に係る乾式目地材の取付構造における洗い場床の一部および壁パネルの一部を拡大した斜視断面図である。
【図４】図３の部分Ａを拡大した斜視断面図である。
【図５】実施形態に係る乾式目地材の取付構造の一部を拡大した断面図である。
【図６】実施形態に係る乾式目地材の取付構造の乾式目地材を表す斜視断面図及び断面図である。
【図７】実施形態に係る乾式目地材の取付構造の一部を拡大した断面図である。
【発明を実施するための形態】
【００１８】
以下、本発明の実施形態について図面を参照しつつ説明する。なお、各図面中、同様の構成要素には同一の符号を付して詳細な説明は適宜省略する。
【００１９】
図１は、実施形態に係る乾式目地材の取付構造を有する水まわりユニットルームを表す斜視図である。
図１に表した水まわりユニットルーム２は、乾式目地材の取付構造１を有する。取付構造１は、洗い場床１０及び壁パネル２０を備える。
【００２０】
洗い場床１０は、水まわりユニットルーム２の床面を構成している。洗い場床１０は、周縁部が上側に折り曲げられた浅底の器状（パン状）に形成され、浴室外部に湯水を漏出させない防水性を有する。洗い場床１０は、ボルト部を回転させることで高さ調節可能な構造を有する支持脚１５１を介して浴室設置面Ｓ上に設置されている。
【００２１】
洗い場床１０の外周には、壁載せ凹部１１が設けられている。壁パネル２０は、この壁載せ凹部１１内に載置され、水まわりユニットルームの側面を構成している。壁パネル２０は、例えば、パネル材２１〜２７によって構成されている。図１に表した例では、パネル材２３は、不図示のドア取付枠を含むドアＤＲである。隣接するパネル材同士は、壁面接続部材５０によって連結されている。
【００２２】
図１に表した例では、水まわりユニットルーム２は、浴室である。そのため、水まわりユニットルーム２は、浴槽４０をさらに有する。浴槽４０は、支持脚１５１と同様の機能を有する支持脚４１を介して、浴室設置面Ｓ上に設置されている。
【００２３】
水まわりユニットルーム２の具体的構成は、図１の例に限定されず、適宜変更可能である。例えば、水まわりユニットルーム２は、浴槽４０を有していないシャワールームなどであっても良い。
【００２４】
図２は、実施形態に係る乾式目地材の取付構造の洗い場床を表す分解斜視図である。
図２に表したように、洗い場床１０は、床基材１５及び床本体１６を有する。
【００２５】
床基材１５は、支持脚１５１と、支持フレーム１５２と、受け板１５３と、を有する。一例として、支持フレーム１５２は、水平な第１の方向に延在する４本の第１のフレーム１５２ａと、第１の方向と直交する水平な第２の方向に延在する４本の第２のフレーム１５２ｂと、を有する。支持脚１５１は、支持フレーム１５２の下面の４隅に設けられている。
【００２６】
床基材１５は、浴室等の設置場所の限られた空間の中において、洗い場床１０の上面にかかる荷重を受け、その位置を保持するものである。そのため、床基材１５には、充分な強度が必要とされる。例えば、床基材１５には、熱可塑性発泡樹脂の強度よりも高い強度を有する鋼材が用いられる。
【００２７】
床基材１５は、浴室等の設置面（例えば、建物の床）の上に載置され、支持脚１５１のボルト部の回転により適宜高さが調整される。これにより、洗い場床１０の水平面が確保される。そして、支持脚１５１および支持フレーム１５２は、受け板１５３を下方から支持している。受け板１５３は、例えばねじ等の締結部材により支持フレーム１５２に固定されている。
【００２８】
床本体１６は、床面材１６１と、クッション材１６２と、表面材１６３と、を有する。受け板１５３の上面は、洗い場床１０が備える各部材の垂直方向の基準位置すなわち水平基準面となる。また、受け板１５３は、床面材１６１を下方から支持し、受け板１５３の上に載置される部材から荷重を受ける。そのため、受け板１５３としては、比較的に高強度で剛性を有する平板状の素材が好適である。その一例として、例えば鋼材製のデッキプレートやサンドイッチパネルなどが挙げられる。床基材１５の強度は、後述する熱可塑性発泡樹脂により形成された床面材１６１の強度よりも高い。
【００２９】
床面材１６１は、例えば熱可塑性発泡樹脂により形成されている。熱可塑性発泡樹脂としては、例えば発泡ポリプロピレン、発泡ポリスチレン、発泡ポリエチレン、発泡ポリウレタンなどが挙げられる。床面材１６１の上には、クッション材１６２を介して表面材１６３が設けられている。クッション材１６２の材料としては、例えば発泡ポリウレタン等の軟質素材が用いられている。クッション材１６２の硬さ（柔らかさ）を変えることで、床面の硬さ（柔らかさ）を変更できる。
【００３０】
表面材１６３は、床面材１６１の上面を覆っている。ここで説明する取付構造１の例では、表面材１６３の上面が、洗い場床１０の上面を構成している。表面材１６３の上面は、意匠性や水はけ性を向上させるために、複数の凹部及び複数の凸部が設けられて凹凸形状となっている。
【００３１】
図３は、実施形態に係る乾式目地材の取付構造の一部を拡大した斜視断面図である。
図４は、図３の部分Ａを拡大した斜視断面図である。
図５は、実施形態に係る乾式目地材の取付構造の一部を拡大した断面図である。
図６は、実施形態に係る乾式目地材の取付構造の乾式目地材を表す斜視断面図及び断面図である。
図７は、実施形態に係る乾式目地材の取付構造の一部を拡大した断面図である。
【００３２】
図３及び図４に表したように、実施形態に係る取付構造１は、さらに乾式目地材３０を備える。乾式目地材３０は、壁パネル２０の洗い場床１０側において、洗い場床１０外周の壁載せ凹部１１と、壁載せ凹部１１内に載置された壁パネル２０と、の間の隙間に挿入されている。
【００３３】
例えば、図４及び図５に表したように、壁載せ凹部１１の内側には、壁受け部材１３が設けられる。壁受け部材１３の形状は、壁載せ凹部１１の内壁に沿った凹状である。壁受け部材１３は、例えば、壁パネル２０の洗い場床１０に対する位置を決め易くする。壁パネル２０は、この壁受け部材１３の上に、パッキン１４を介して載置される。パッキン１４は、ゴムなどの弾性を有する材料からなり、壁受け部材１３と壁パネル２０との間の隙間を埋めて水密性を向上させる。
【００３４】
乾式目地材３０は、挿入部３１、壁側当接部３２、及び床側延出部３３を有する。挿入部３１は、壁載せ凹部１１と壁パネル２０との間の隙間に、下方に向けて挿入され、壁載せ部材１３に嵌合されている。
【００３５】
壁側当接部３２は、挿入部３１の上端に接続され、壁パネル２０と当接している。床側延出部３３は、挿入部３１の上端に接続されており、洗い場床１０へ向かって延出している。洗い場床１０の上面１２には、複数の凹部１２１及び複数の凸部１２２が設けられている。床側延出部３３の先端は上面１２の上に設けられており、床側延出部３３の下面が上面１２と当接している。
【００３６】
図５、図６（ａ）、及び図６（ｂ）に表したように、床側延出部３３は、軟質部３３１及び支持部３３２を有する。軟質部３３１は、床側延出部３３の下側に設けられ、洗い場床１０の上面１２が有する凹部１２１及び凸部１２２に当接する。支持部３３２は、床側延出部３３の上側に設けられ、軟質部３３１の上部に接続されている。乾式目地材３０が壁載せ凹部１１と壁パネル２０との間の隙間に挿入された状態において、軟質部３３１は、洗い場床１０と支持部３３２との間に挟み込まれる。
【００３７】
軟質部３３１の硬さは、支持部３３２の硬さよりも低い。すなわち、軟質部３３１は、支持部３３２よりも変形し易い。また、一般的に、洗い場床１０（表面材１６３）の硬さは、人の重み等による応力が加わった際の洗い場床１０の変形を抑えるために、乾式目地材の硬さよりも高く設計される。換言すると、軟質部３３１の硬さは洗い場床１０の硬さよりも小さく、軟質部３３１は洗い場床１０よりも変形し易い。
【００３８】
また、図５、図６（ａ）、及び図６（ｂ）に表した例では、壁側当接部３２が、軟質部３２１及び支持部３２２を有する。軟質部３２１は、支持部３２２よりも、壁側当接部３２の先端側に設けられている。軟質部３３１の硬さは、支持部３３２の硬さよりも低い。また、一般的に、壁パネル２０の硬さは、応力が加えられた際の壁パネル２０の変形を小さくするため、典型的な乾式目地材の硬さよりも高く設計される。換言すると、軟質部３２１の硬さは、壁パネル２０の硬さよりも低い。
【００３９】
例えば、挿入部３１、支持部３２２、及び支持部３３２の材料としては、ポリプロピレンやポリエチレンなどのポリオレフィン系樹脂、ポリスチレンやＡＢＳ（acrylonitrile butadiene styrene copolymer）などのスチレン系樹脂、塩化ビニル、ポリエチレンテレフタレートなどのポリエステル系樹脂、またはナイロンなどのポリアミド系樹脂、フッ素樹脂、などを用いることができる。
【００４０】
軟質部３２１及び軟質部３３１には、ゲルを用いることができる。ゲルを用いることで、軟質部３２１及び軟質部３３１に、軟性を付与しつつ、適度な耐久性を持たせることができる。ゲルとして、例えば、シリコーンゲル、アクリルゲル、ウレタンゲルなどが挙げられる。例えば、乾式目地材３０は、挿入部３１、支持部３２２、及び支持部３３２の材料と、軟質部３２１及び軟質部３３１の材料と、を二色成型することで、一体に形成される。
【００４１】
実施形態に係る取付構造１によれば、床側延出部３３の軟質部３３１が、洗い場床１０の上面１２に当接し、洗い場床１０と支持部３３２との間に挟み込まれる。この結果、図７に表したように、軟質部３３１の形状が、上面１２の凹部１２１及び凸部１２２に沿って変形する。なお、図７は、壁パネル２０表面に平行な面で切断したときの洗い場床１０及び床側延出部３３の構造を表している。
【００４２】
軟質部３３１の形状が凹部１２１及び凸部１２２に沿って変形することで、床側延出部３３と上面１２（特に凹部１２１上面）との間に隙間が生じることを抑制できる。従って、本実施形態によれば、凹凸形状が存在する上面１２に床側延出部３３を当接させた場合でも、凹部１２１上面と乾式目地材３０との間に入浴時の汚水等が入り込むことを抑制できる。この結果、乾式目地材３０付近における黒ずみや悪臭の発生を抑制できる。
【００４３】
同様に、実施形態に係る乾式目地材３０を洗い場床１０と壁パネル２０との間の隙間に挿入することで、洗い場床１０の上面１２に凹凸形状が存在する場合でも、乾式目地材３０と上面１２（特に凹部１２１上面）との間に隙間が生じることを抑制できる。
【００４４】
なお、洗い場床１０と乾式目地材３０との間に隙間が生じることを防止するために、洗い場床１０（表面材１６３）の端部に凹凸形状が存在しないように表面材１６３を作製する方法も考えられる。しかし、この方法では、表面材１６３を水まわりユニットルームごとに作製する必要があり、表面材１６３の製造コストが増大する。
上記の方法に対して、表面材１６３の構造を有する大きなシート状の部材を作製しておき、この部材の一部を切り出して表面材１６３として用いる方法もある。この方法によれば、それぞれの水まわりユニットルームに対応した表面材１６３の設計や作製が不要となるため、表面材１６３の製造コストを低減できる。
この方法では、切り出された表面材１６３の端部に凹凸形状が存在するが、上述した通り、本実施形態に係る取付構造１又は乾式目地材３０により、洗い場床１０と乾式目地材３０との間に隙間が生じることを抑制できる。
【００４５】
洗い場床１０及び支持部３３２の硬さについては、例えば、ＪＩＳ  Ｋ  ７２１５で定められた「プラスチックの硬さ試験方法」に準拠するデュロメータを用いて測定できる。また、軟質部３３１の硬さについては、例えば、ＪＩＳ  Ｋ  ６２５３で定められた「加硫ゴム及び熱可塑性ゴムの硬さ試験方法」に準拠するデュロメータを用いて測定できる。これらのデュロメータで測定された各部材の硬さは、例えば以下の通りである。
支持部３３２の硬さは、５０以上７０以下である。洗い場床１０の上面１２における硬さは、７５以上９５以下である。軟質部３３１の硬さは、１以上３０以下である。
各部材の硬さがこれらの範囲内であれば、軟質部３３１を上面１２及び支持部３３２に対して十分に変形させ、洗い場床１０と壁パネル２０との間の隙間の発生を好適に抑制できる。
なお、各部材の硬さを比較する場合は、ＪＩＳ  Ｋ  ７２１５及びＪＩＳ  Ｋ  ６２５３の一方に準拠するデュロメータを用いて各部材の硬さを測定し、それらの測定結果を比較する。この場合、軟質部３３１の硬さ、又は洗い場床１０と支持部３３２の硬さが正確には測定されない可能性がある。しかし、硬さの大小関係については正しい結果を得ることができる。
【００４６】
洗い場床１０と接触する前の軟質部３３１の厚みＴ（図６（ｂ）に示す）は、凸部１２２の上面１２２ａと凹部１２１の上面１２１ａとの間の高さ方向（鉛直方向）における長さＬ（図７に示す）よりも大きいことが望ましい。
なお、厚みＴは、換言すると、軟質部３３１の高さ方向における寸法である。軟質部３３１の高さ方向における寸法が場所によって異なる場合、当該寸法の最大値を、軟質部３３１の厚みＴとすることができる。また、長さＬと比較する際の厚みＴには、軟質部３３１が圧縮変形されていない、乾式目地材３０を取り付ける前の状態における軟質部３３１の高さ方向における寸法が用いられる。
厚みＴが長さＬよりも大きいと、軟質部３３１を変形させた際、凹部１２１の全体が軟質部３３１により埋め込まれ易くなる。これにより、洗い場床１０と乾式目地材３０との間の隙間がより発生し難くなる。
【００４７】
また、図７に表したように、洗い場床１０の上面１２には、凹部１２１の上面１２１ａと、凸部１２２の上面１２２ａと、をつなぐ傾斜面１２３ａが設けられていることが望ましい。
例えば、上面１２１ａ及び上面１２２ａは、水平方向に平行である。洗い場床１０と軟質部３３１は、高さ方向において重ね合わされる。傾斜面１２３ａは、これら水平方向及び高さ方向に対して傾いている。また、上面１２１ａと傾斜面１２３ａとの間の角度θ１及び上面１２２ａと傾斜面１２３ａとの間の角度θ２は、鈍角である。
このような構成によれば、軟質部３３１が洗い場床１０へ当接して圧縮変形した際、軟質部３３１が、傾斜面１２３ａに沿って、上面１２１ａに向けて変形し易くなる。このため、軟質部３３１と上面１２との間に、より隙間が生じ難くなる。
【００４８】
また、上面１２１ａと傾斜面１２３ａをつなぐ角の部分（入隅）及び上面１２２ａと傾斜面１２３ａをつなぐ角の部分（出隅）には、湾曲した面（Ｒ）が設けられていても良い。例えば、湾曲面の曲率半径は、０．５ｍｍ以上である。出隅に湾曲面が設けられることで、凸部１２２の上面１２２ａに接触した軟質部３３１が、出隅で引っ掛かること無く凹部１２１の上面１２１ａに向けて変形し易くなる。また、入隅に湾曲面が設けられることで、入隅が軟質部３３１により埋め込まれ易くなる。これらの結果、軟質部３３１と上面１２との間に、より隙間が生じ難くなる。
なお、入隅に湾曲面が設けられている場合、上述した角度θ１は、上面１２１ａ及び傾斜面１２３ａのうち当該湾曲面を除く平面部分に基づいて算出される。同様に、出隅に湾曲面が設けられている場合、上述した角度θ２は、上面１２２ａ及び傾斜面１２３ａのうち当該湾曲面を除く平面部分に基づいて算出される。
【００４９】
壁載せ部材１３上に壁パネル２０を載置した際に、壁載せ部材１３の一部は、図５に表したように、壁載せ凹部１１と壁パネル２０との間に位置する。挿入部３１は、壁載せ部材１３の当該一部に挿入されることが望ましい。
壁載せ部材１３上には、壁パネル２０が載置される。すなわち、壁載せ部材１３は、壁パネル２０の重さにより、下方に向けて押される。挿入部３１が壁載せ部材１３に挿入されていると、壁パネル２０の重さにより、挿入部３１が壁載せ部材１３とともに下方に向けて継続的に押さえ付けられる。これにより、乾式目地材３０を取り付けた後も、洗い場床１０と軟質部３３１との間に隙間が生じることを抑制できる。
【００５０】
壁載せ部材１３及び挿入部３１は、壁載せ部材１３上に壁パネル２０が載置された際に、挿入部３１が壁載せ部材１３とともに下方に向けてより強く安定して押さえ付けられることが望ましい。例えば、壁載せ部材１３と挿入部３１が接触する部分には、大きな摩擦力が生じるように構成される。
又は、望ましくは、挿入部３１は、図５に表したように、壁載せ部材１３に引っ掛かって係止される係止部３１１を有する。挿入部３１が壁載せ部材１３に嵌合されると、挿入部３１の先端（乾式目地材３０の下端）に設けられた係止部３１１が、壁載せ部材１３に設けられた窪み１３１に引っ掛かる。これにより、乾式目地材３０が壁載せ部材１３に対して上方へ変位することをより確実に抑制できる。また、係止部３１１を用いることで、挿入部３１を壁載せ部材１３に嵌合させるだけで乾式目地材３０を壁載せ部材１３に対して固定でき、乾式目地材３０の取付が容易となる。
【００５１】
軟質部３３１の特性については、軟質部３３１の硬さが支持部３３２の硬さよりも低ければ、適宜変更可能である。
例えば、軟質部３３１は、弾性を有する。乾式目地材３０を取り付けた後、使用者が水まわりユニットルームを使用したり、各部材に温度変化による変形が生じたりすることで、洗い場床１０と乾式目地材３０との位置関係が微小に変化することがある。軟質部３３１が弾性を有する場合、洗い場床１０と乾式目地材３０が互いに離れる方向に変位した場合でも、変位に応じて軟質部３３１の形状が変化する。従って、乾式目地材３０を取り付けた後に、洗い場床１０と軟質部３３１との間に隙間が生じることを抑制できる。
軟質部３３１は、粘性を有していても良い。軟質部３３１が粘性を有していると、軟質部３３１が洗い場床１０の上面１２に当接した際、軟質部３３１が上面１２に引っ付き易くなる。これにより、乾式目地材３０を取り付けた後、洗い場床１０と乾式目地材３０との位置関係が変化した場合でも、洗い場床１０と軟質部３３１との間に隙間が生じることを抑制できる。
【００５２】
軟質部３３１は、図４及び図５に表したように、乾式目地材３０を取り付けた際に、支持部３３２によって上方から完全に被覆されることが望ましい。軟質部３３１は、支持部３３２よりも柔らかいため、傷つき易い。乾式目地材３０に傷が生じると、傷に汚水が溜まり、カビなどによる黒ずみや悪臭の原因となる。軟質部３３１が支持部３３２によって上方から被覆されることで、軟質部３３１が傷付き難くなり、黒ずみや悪臭の発生を抑制できる。
【００５３】
また、乾式目地材３０の上面は、洗い場床１０へ向かって下方に傾斜していることが望ましい。この構造によれば、乾式目地材３０の上の水が洗い場床１０へ向けて流れ易くなり、乾式目地材３０の上の水がより溜まり難くなる。
【００５４】
壁側当接部３２は、図５、図６（ａ）、及び図６（ｂ）に表したように、支持部３２２及び軟質部３２１を有することが望ましい。
乾式目地材３０が壁載せ凹部１１と壁パネル２０との間の隙間に挿入されると、壁側当接部３２は壁パネル２０の表面に当接し、変形する。この結果、軟質部３２１は、水平方向において壁パネル２０と支持部３２２との間に位置する。
壁パネル２０の表面にも、微小な凹凸が存在する場合がある。特に、パネル材同士の連結部分では、比較的大きな窪みが生じやすい。壁側当接部３２にも軟質部３２１が設けられることで、壁パネル２０の表面の凹凸に沿って軟質部３２１が変形し、乾式目地材３０と壁パネル２０との間に隙間が生じることを抑制できる。
【００５５】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、取付構造及び水まわりユニットルームなどが備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００５６】
１ 取付構造、  ２ 水まわりユニットルーム、  １０ 洗い場床、  １１ 壁載せ凹部、  １２ 上面、  １３ 壁受け部材、  １４ パッキン、  １５ 床基材、  １６ 床本体、  ２０ 壁パネル、  ２１〜２７ パネル材、  ３０ 乾式目地材、  ３１ 挿入部、  ３２ 壁側当接部、  ３３ 床側延出部、  ４０ 浴槽、  ４１ 支持脚、  ５０ 壁面接続部材、  θ１、θ２ 角度、  １２１ 凹部、  １２１ａ 上面、  １２２ 凸部、  １２２ａ 上面、  １２３ａ 傾斜面、  １３１ 窪み、  １５１ 支持脚、  １５２ 支持フレーム、  １５２ａ 第１のフレーム、  １５２ｂ 第２のフレーム、  １５３ 受け板、  １６１ 床面材、  １６２ クッション材、  １６３ 表面材、  ３１１ 係止部、  ３２１ 軟質部、  ３２２ 支持部、  ３３１ 軟質部、  ３３２ 支持部、  ＤＲ ドア、  Ｌ 長さ、  Ｓ 浴室設置面、  Ｔ 厚み
【図１】
2020033705.tif 000003
【図２】
2020033705.tif 000004
【図３】
2020033705.tif 000005
【図４】
2020033705.tif 000006
【図５】
2020033705.tif 000007
【図６】
2020033705.tif 000008
【図７】
2020033705.tif 000009